【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
メディアコンテンツを有する信号内で追加情報を送信する方法において、
前記メディアコンテンツの振幅値を、第１マッピング関数を用いて第１の新たな値上にマッピングするステップと、
前記マッピングされたメディアコンテンツに前記追加情報を挿入するステップと、
を有することを特徴とする方法。
【請求項２】
請求項１に記載の方法において、前記第１マッピング関数は、前記マッピングされたメディアコンテンツの前記振幅値に追加情報を埋め込むために使用されるべき少なくとも１つのホールを生成することを特徴とする方法。
【請求項３】
請求項２に記載の方法において、前記追加情報を挿入するステップは、追加データを埋め込むために前記マッピングされたメディアコンテンツの前記少なくとも１つのホールと対応する値とを使用するステップを有することを特徴とする方法。
【請求項４】
請求項１に記載の方法において、前記マッピングするステップは、前記メディアコンテンツにおける１つの第１の新たな値の使用が、元のメディアコンテンツにおける２以上のマッピングされていない値に対応するのを許容するステップを含むと共に、更に、
前記メディアコンテンツの前記第１の新たな値を、第２マッピング関数を用いて第２の新たな値上にマッピングするステップと、
前記メディアコンテンツの前記第２の新たな値と前記元のメディアコンテンツとの間の差を有するようなエラー信号を発生すると共に、該エラー信号を受信機に送信するステップと、
を有することを特徴とする方法。
【請求項５】
請求項４に記載の方法において、前記エラー信号を圧縮するステップを更に含んでいることを特徴とする方法。
【請求項６】
請求項４に記載の方法において、前記第１マッピング関数を用いてマッピングされた前記メディアコンテンツを前記追加情報と一緒に受信機に送信するステップを更に有し、前記エラー信号が前記受信機に送信される該メディアコンテンツに含まれることを特徴とする方法。
【請求項７】
請求項４に記載の方法において、前記第１マッピング関数を用いてマッピングされた前記メディアコンテンツを前記追加情報と一緒に受信機に送信するステップと、使用された前記第１及び／又は第２マッピング関数に関する情報を前記受信機に送信するステップとを更に有することを特徴とする方法。
【請求項８】
請求項７に記載の方法において、前記使用された第２マッピング関数に関する情報が、前記受信機に送信される前記メディアコンテンツに含まれることを特徴とする方法。
【請求項９】
請求項１に記載の方法において、少なくとも２つの第１マッピング関数から第１マッピング関数を選択すると共に、前記メディアコンテンツの少なくとも一部に対して前記選択された関数を用いて前記マッピングするステップを実行するステップを更に有することを特徴とする方法。
【請求項１０】
請求項９に記載の方法において、前記選択するステップが前記メディアコンテンツの特性に応じて実行されることを特徴とする方法。
【請求項１１】
請求項９に記載の方法において、
少なくとも２つの第２マッピング関数から第２マッピング関数を選択し、前記メディアコンテンツの振幅の前記第１の新たな値を、前記選択された第１マッピング関数によりマッピングされた前記メディアコンテンツの部分に対して、該第２マッピング関数を用いて第２の新たな値上にマッピングするステップと、
前記選択された第１及び第２マッピング関数に対して、前記第２のマッピングされたメディアコンテンツと元のメディアコンテンツとの間の差を有するようなエラー信号を発生するステップと、
を更に含んでいることを特徴とする方法。
【請求項１２】
メディアコンテンツを有する信号内で追加情報を受信する方法において、
振幅値が第１マッピング関数を用いて第１の新たな値上にマッピングされているメディアコンテンツを、埋め込まれた追加情報と共に含むような信号を受信するステップと、
前記メディアコンテンツから前記追加情報を除去するステップと、
を有することを特徴とする方法。
【請求項１３】
請求項１２に記載の方法において、前記追加情報を処理するステップを更に含むことを特徴とする方法。
【請求項１４】
請求項１２に記載の方法において、前記メディアコンテンツにおける受信された第１の新たな値の振幅を第２マッピング関数を用いて第２の新たな値上にマッピングするステップを更に含むことを特徴とする方法。
【請求項１５】
請求項１４に記載の方法において、オリジナルのメディアコンテンツと前記第２マッピング関数を用いてマッピングされたメディアコンテンツとの間のエラーに対応するエラー信号を受信すると共に、前記第２マッピング関数を用いてマッピングされたメディアコンテンツを前記エラー信号を用いて調整するステップを更に含んでいることを特徴とする方法。
【請求項１６】
請求項１４に記載の方法において、前記第１マッピング関数又は前記第２マッピング関数の情報を受信すると共に、この情報に従う第２マッピング関数を前記受信されたメディアコンテンツの少なくとも一部に適用するステップを更に含んでいることを特徴とする方法。
【請求項１７】
メディアコンテンツを有する信号中に追加情報を設ける装置において、
前記メディアコンテンツの振幅値を、第１マッピング関数を用いて第１の新たな値上にマッピングするように構成された第１マッピングユニットと、
前記追加情報を前記マッピングされたメディアコンテンツに挿入するマルチプレックスユニットと、
を有することを特徴とする装置。
【請求項１８】
請求項１７に記載の装置において、前記第１マッピングユニットは前記マッピングされたメディアコンテンツの前記振幅値に、追加情報を埋め込むために使用されるべき少なくとも１つのホールを作成するように構成されていることを特徴とする装置。
【請求項１９】
請求項１８に記載の装置において、前記マルチプレックスユニットは追加データを埋め込むために前記マッピングされたメディアコンテンツにおける前記少なくとも１つのホールと対応する値とを使用するように構成されていることを特徴とする装置。
【請求項２０】
請求項１７に記載の装置において、前記メディアコンテンツの前記第１の新たな値を第２マッピング関数を用いて第２の新たな値上にマッピングするように構成された第２マッピングユニットと、前記メディアコンテンツの前記第２の新たな値からオリジナルのメディアコンテンツを減算してエラー信号を供給するように構成された減算ユニットとを更に有していることを特徴とする装置。
【請求項２１】
請求項２０に記載の装置において、前記マルチプレックスユニットは前記エラー信号を前記メディアコンテンツの前記第１の新たな値に挿入するように構成されていることを特徴とする装置。
【請求項２２】
請求項１７に記載の装置において、２つの異なる第１マッピング関数を実行する少なくとも２つの第１マッピングユニットが存在し、オリジナルのメディアコンテンツを、これら第１マッピングユニットの何れか一方に接続するように構成された第１スイッチを更に有することを特徴とする装置。
【請求項２３】
請求項２２に記載の装置において、２つの異なる第２マッピング関数を実行すると共に各々が前記メディアコンテンツの第１の新たな値を第２の新たな値上にマッピングするよう構成された少なくとも２つのマッピングユニットと、オリジナルのメディアコンテンツを前記メディアコンテンツの第２の新たな値から減算してエラー信号を供給するように構成された減算ユニットと、前記メディアコンテンツの前記第１の新たな値を第２マッピング関数を実行する前記マッピングユニットの何れか一方に接続するように構成された他のスイッチと、第２マッピング関数を実行する前記マッピングユニットの何れか一方を前記減算ユニットに接続するように構成された更に他のスイッチとを更に有することを特徴とする装置。
【請求項２４】
メディアコンテンツを有する信号内で追加情報を受信する装置において、
振幅値が第１マッピング関数を用いて第１の新たな値上にマッピングされているようなメディアコンテンツを、埋め込まれた追加情報と共に含む信号を受信し、
前記メディアコンテンツから前記追加情報を削除する、
ように構成されたデマルチプレクスユニットを有することを特徴とする装置。
【請求項２５】
請求項２４に記載の装置において、
受信された前記メディアコンテンツにおける前記第１の新たな値を、第２マッピング関数を用いて第２の新たな値にマッピングするように構成された第３マッピングユニット、
を更に有することを特徴とする装置。
【請求項２６】
請求項２５に記載の装置において、受信されたエラー信号を前記メディアコンテンツにおける前記第２の新たな値に加算して少なくとも本質的に損失のないメディアコンテンツを供給するように構成された加算ユニットを更に有することを特徴とする装置。
【請求項２７】
互いに通信することが可能な装置のシステムにおいて、
メディアコンテンツを有する信号中に追加情報を設ける装置であって、
前記メディアコンテンツの振幅値を、第１マッピング関数を用いて第１の新たな値上にマッピングするように構成された第１マッピングユニットと、
前記追加情報を前記マッピングされたメディアコンテンツに挿入するマルチプレックスユニットと、
を有するような装置と、
メディアコンテンツを有する信号内で追加情報を受信する装置であって、
振幅値が前記第１マッピング関数を用いて第１の新たな値上にマッピングされているようなメディアコンテンツを、埋め込まれた追加情報と共に含む信号を受信すると共に、前記メディアコンテンツから前記追加情報を削除するように構成されたデマルチプレクスユニット、
を有するような装置と、
を有することを特徴とするシステム。